Podtech/llm-jp-corpus-v4-ja_patent huggingface dataset:
(57)【要約】【課　　題】気送子本体は完全に１８０度に展開できるが、ガイドリングに当る部分は分割されないタイプの気送子を提供すること。【解決手段】筒状容器を１８０度展開可能に分割して分割ラインの一側を蝶着３すると共に他側の分割ラインにラッチ部材８を設け、閉じると前記筒状容器に形成される２つの半筒体１，２における一方の半筒体１の前面と他方の半筒体２の後面とに、前記筒状容器の外径より大きい径で気送管に接する弾性外周部５ａ，７ａを有するエンドキャップ５，７を、それぞれに設けたこと。【選択図】　　図４
2004075230.tif 000002
【特許請求の範囲】
【請求項１】
筒状容器を１８０度展開可能に分割して分割ラインの一側を蝶着すると共に他側の分割ラインにラッチ部材を設け、閉じると前記筒状容器に形成される２つの半筒体における一方の半筒体の前面と他方の半筒体の後面とに、前記筒状容器の外径より大きい径で気送管に接する弾性外周部を有するエンドキャップを、それぞれに設けたことを特徴とする気送子。
【請求項２】
筒状容器は、円筒状又は多角筒状である請求項１の気送子。
【請求項３】
筒状容器は、透明又は不透明の合成樹脂製、又は、金属製である請求項１又は２の気送子。
【発明の詳細な説明】
【０００１】
【発明の属する技術分野】
本発明は気送管装置に用いる気送子に関し、より具体的にはエンドキャップ（ガイドリングともいう）を分割タイプとせず、容器部のみを１８０度展開できるタイプに形成した気送子に関する。
【０００２】
【従来の技術】
従来から円筒体状をなす気送子の内部に搬送物を収容して、空気圧により気送管内を搬送する気送管装置が知られている。
【０００３】
この気送子は、その内部に搬送物を出入れするため、様々な開閉構造のものがあるが、搬送物の出入れ易さに鑑み、略円筒体の気送子をその軸方向の全長において１８０度展開できる二分割できる型式のものが多い。
【０００４】
一方、この気送子は空気圧によって気送管の中を圧送されるため、空気の洩れを防いで搬送効率を確保するため、気送子の胴にゴム系などの弾性と滑り性を有するガイドリングが周設されているが、上記の二分割方式であると、ガイドリングも分割される構造となる。
【０００５】
しかし、ガイドリングが二分割構造であると、ガイドリングの外径が円筒状の気送子本体の外径よりも大きいことにより、分割されたガイドリング同士が干渉して気送子本体が１８０度に展開できないという問題がある。また、ガイドリングは圧送空気の洩れを防ぐための部材であるから、分割すると圧送空気の圧力損失が生じ、可搬できる搬送物の重量が低下するという問題もある。
【０００６】
【発明が解決しようとする課題】
そこで、本発明では気送子本体は完全に１８０度に展開できるが、ガイドリングに当る部分は分割されないタイプの気送子を提供することを、その課題とする。
【０００７】
【課題を解決するための手段】
上記課題を解決することを目的としてなされた本発明気送子の構成は、筒状容器を１８０度展開可能に分割して分割ラインの一側を蝶着すると共に他側の分割ラインにラッチ部材を設け、閉じると前記筒状容器に形成される２つの半筒体における一方の半筒体の前面と他方の半筒体の後面とに、前記筒状容器の外径より大きい径で気送管に接する弾性外周部を有するエンドキャップを、それぞれに設けたことを特徴とするものである。
【０００８】
【発明の実施の形態】
次に本発明気送子の実施形態の一例について、図を参照しながら説明する。図１は本発明気送子の一例の斜視図、図２は図１の気送子の平面図、図３は図２の気送子の横断平面図、図４は図１〜図３の気送子を開いた状態の平面図である。
【０００９】
図１〜図４において、１，２は、合体すると有底，有蓋のここでは円筒状容器を形成する半筒体で、下方の分割ラインにおいて、軸３により蝶番されている。なお、半筒体１，２を合体して形成される筒状容器は、円筒状に限られず、例えば、多角筒状容器であってもよい。
【００１０】
１ａ，２ａ、及び、１ｂ，２ｂは、それぞれ各半筒体１，２における分割された天蓋と底で、一方の半筒体１の分割された底１ｂの外面には、ビス等の取付部材４によって円板状のエンドキャップ５が取付けられ、他方の半筒体２の分割された天蓋２ａの外面にはビス等の取付部材６によって円板状のエンドキャップ７が取付けられている。
【００１１】
２つのエンドキャップ５，７の外周には弾性と滑り性があるゴム系乃至プラスチック系の外周リング５ａ，７ａ（ガイドリングに相当）が設けられている。両エンドキャップ５，７の外周リング５ａ，７ａを含む外径は、半筒体１，２が合体した筒状容器の外径よりも少し大きい外径に形成され、気送管（図示せず）の中で圧力損失なく空気により圧送されるように形成されている。
【００１２】
次に、上記半筒体１，２における非枢着側の分割ラインには、図の例ではほぼ中央部位に、閉じた半筒体１，２の閉じ状態を保持するためのラッチ部材８が設けられている。ラッチ部材８の構成は、２つの半筒体１，２を閉じて筒体状に保持できるものであれば、市販品，内製品のいずれでもよく、また、その開閉型式もプッシュ型，プル型のいずれを選択してもよい。
【００１３】
なお、図示したエンドキャップ５，７は、説明の便宜上、中実材（ムク材）で形成されたように表現しているが、これを組立式、或は、成形式の中空体、或は、リブ付中空体などで形成することも設計乃至製造上の選択事項である。
【００１４】
以上のように構成される本発明気送子は、図１の閉じた状態で気送管内を空気により搬送される点は、従来気送子と変るところはないが、本発明気送子は、開いた状態が図４に例示するように、２つの半筒体１，２が完全にほぼ１８０度に展開されるので、次のような格別の効果が得られる。
【００１５】
【発明の効果】
気送子の容器本体のみが１８０度に展開され、前後のエンドキャップは、２つの半筒体にその長さ方向において対向位置に取付けられているので、容器本体の開閉を干渉せず、その容器本体への搬送物の出入れ操作が容易になる。
【００１６】
また、２つのエンドキャップは、両方とも完全に円形のままで分割されていないので、従来の分割タイプの気送子にあった分割されたガイドリングにおけるエアの圧力損失が殆んどなく、それ故に搬送可能な重量も向上する。
【００１７】
更に、２つのエンドキャップは分割されていないので、エンドキャップ自体の構造もシンプルとなり、気送子のこの面での強度アップに貢献する。
【図面の簡単な説明】
【図１】本発明気送子の一例の斜視図
【図２】は図１の気送子の平面図
【図３】図２の気送子の横断平面図
【図４】図１〜図３の気送子を開いた状態の平面図
【符号の説明】
１，２　　半筒体
１ａ，２ａ　　天蓋
１ｂ，２ｂ　　底
３　　　　軸
４　　　　取付部材
５，７　　エンドキャップ
５ａ，７ａ　　外周リング
６　　　　取付部材
８　　　　ラッチ部材
【図１】
2004075230.tif 000003
【図２】
2004075230.tif 000004
【図３】
2004075230.tif 000005
【図４】
2004075230.tif 000006
(57)【要約】【課題】機械室内に収容した制御盤の放熱性の向上を図ったエスカレータを提供する。【解決手段】階床間に架け渡されたトラス１の一端に設けられた機械室２と、この機械室２内に収容された制御盤３と、制御盤３を冷却する空調装置７と、機械室７内の空気と機械室７に連なるトラス中間部１ａ内の空気とを循環させる第１及び第２のファン８，９とを備えることを特徴とする。【選択図】　　　図１
2004075229.tif 000002
【特許請求の範囲】
【請求項１】
階床間に架け渡されたトラスの一端に設けられた機械室と、この機械室内に収容された制御盤と、この制御盤を冷却する空調装置と、前記機械室内の空気と前記機械室に連なるトラス中間部内の空気とを循環させる送風手段とを備えることを特徴とするエスカレータ。
【請求項２】
前記送風手段は、前記機械室内の空気を前記トラス中間部内に向けて送る第１のファンと、前記トラス中間部内の空気を前記機械室内に向けて送る第２のファンとから成ることを特徴とする請求項１記載のエスカレータ。
【請求項３】
前記機械室の室温を検知するセンサと、このセンサの検知温度が所定値以上である場合に前記送風手段を駆動する制御手段とを具備することを特徴とする請求項１又は請求項２記載のエスカレータ。
【発明の詳細な説明】
【０００１】
【発明の属する技術分野】
本発明はエスカレータに関し、特に機械室内に収容した制御盤の放熱性の向上を図ったエスカレータに関する。
【０００２】
【従来の技術】
図３は従来の一般的なエスカレータの上部の概略構成図である。同図において、１は階床間に架け渡された主枠としてのトラスで、その上階側端部には機械室２が設けられている。この機械室２には、エスカレータ全体の制御を司る制御盤３や、モータ、減速機等の駆動装置（図示せず）等が収容されている。４は乗降板、５は機械室２とトラス中間部１ａの境界部に設けられた仕切部材としての踏段カバー、６は移動手すりである。
【０００３】
【発明が解決しようとする課題】
従来、エスカレータを屋外に設置する場合には、外気温が高くなったり、乗降板４が日光で加熱されたりすることによって機械室２内が高温になり、制御盤３で発生する熱が放熱されにくくなるため、制御盤３の電子部品に悪影響を及ぼすという問題点が有った。
【０００４】
そのため、インバータを搭載したエスカレータ等では、機械室２内を冷却する空調装置７を設けている場合が有るが、機械室２は狭いために制御盤３の廃熱が放散しにくく、これによって空調装置７の熱交換効率が下がるという問題点が有った。
【０００５】
本発明は上記問題点に鑑みてなされたものであり、その目的は、機械室内に収容した制御盤の放熱性の向上を図ったエスカレータを提供することにある。
【０００６】
【課題を解決するための手段】
上記目的を達成するために、本発明は、階床間に架け渡されたトラスの一端に設けられた機械室と、この機械室内に収容された制御盤と、この制御盤を冷却する空調装置と、前記機械室内の空気と前記機械室に連なるトラス中間部内の空気とを循環させる送風手段とを備えることを特徴とするエスカレータである。
【０００７】
このような構成によれば、送風手段により機械室内の空気と機械室に連なるトラス中間部内の空気とを循環させることにより、制御盤の廃熱が機械室内に滞留することがないので、空調装置の熱交換効率が下がることがない。よって制御盤の放熱が向上し、制御盤の電子部品への悪影響を防ぐことができる
【０００８】
【発明の実施の形態】
以下、本発明の一実施形態を図面と共に詳述する。図１は本発明の一実施形態であるエスカレータの上部の概略構成図、図２は図１のＡ−Ａ’線矢視図である。
【０００９】
なお、本実施形態において、図３に示す従来例と同一又は類似の部分には同一の符号を付してあり、重複する説明は省略してある。
【００１０】
本実施形態では、図１に示すように、紙面に直交する方向に配置された複数個の踏段カバー５のうちの一つのトラス中間部１ａ側の面に機械室２内の空気をトラス中間部１ａ内に向けて送る第１のファン８が取り付けられている。
【００１１】
また、第１のファン８が取り付けられた踏段カバー５とは異なる踏段カバー５，５のうちの一つのトラス中間部１ａ側の面にトラス中間部１ａ内の空気を機械室２内に向けて送る第２のファン９が取り付けられている。
【００１２】
これら第１及び第２のファン８，９は踏段カバー５に形成された開口部５ａに臨むように取り付けられており、踏段カバー５における機械室２側の面には、この開口部５ａを取り囲むように角筒状のカバー１０が取り付けられている。このカバー１０の機械室２側の端面には格子状の網１１が取り付けられていて、作業者の手が第１及び第２のファン８，９に巻き込まれるのを防止している。
【００１３】
また、本実施形態では、制御盤３と空調装置７の間に機械室２内の室温を検知するセンサ１２が設けられており、このセンサ１２の検知温度が所定値（例えば４５℃）以上の場合に、第１及び第２のファン８，９を駆動する制御手段１３を設けている。この制御手段１３は、制御盤３のマイクロコンピュータのメモリに格納されたプログラムにより構成されている。
【００１４】
このような構成によれば、機械室２内の温度が上昇してセンサ１２の検知温度が所定値以上になると、第１及び第２のファン８，９が作動して機械室２内の空気とトラス中間部１ａ内の空気とを循環させる。これによって、制御盤３で生じる廃熱が放散し、機械室２内に滞留することがないので、空調装置７の熱交換効率が下がることがない。よって、制御盤３の放熱性を向上することができ、制御盤３の電子部品が悪影響を受けることがない。
【００１５】
なお、本実施形態のように、センサ１２の検知温度に基づいて送風手段としての第１及び第２のファン８，９を作動させるようにすると、常時送風手段を駆動する場合に比べて消費動力を低減することができるという利点が有る。
【００１６】
【発明の効果】
以上説明したように、本発明のエレベータは、機械室内の空気と機械室に連なるトラス中間部内の空気とを循環させる送風手段を備えているので、制御盤の廃熱が機械室内に滞留することがなく、空調装置の熱交換効率が下がることがない。よって、制御盤の放熱性が向上し、電子部品への悪影響を防ぐことができる。
【図面の簡単な説明】
【図１】本発明の一実施形態であるエスカレータの上部の概略構成図である。
【図２】図１のＡ−Ａ’線矢視図である。
【図３】従来のエスカレータの上部の概略構成図である。
【符号の説明】
１　トラス
２　機械室
３　制御盤
７　空調装置
８　第１のファン（送風手段）
９　第２のファン（送風手段）
１２　センサ
１３　制御手段
【図１】
2004075229.tif 000003
【図２】
2004075229.tif 000004
【図３】
2004075229.tif 000005
(57)【要約】【課題】塗料に混合して、特に内壁やトイレ回り、基礎コンクリート等に塗ったり、接着剤に混合して、壁紙や木板を貼り付けることにより、複合金属ケイ酸塩微粒子から発生するマイナスイオン及び遠赤外線により消臭・抗菌・防カビ効果等を有する機能性材料を提供する。【解決手段】マグネシウム、亜鉛、ケイ素、アルミニューム、チタンを主体とする酸化物を含有する複合金属ケイ酸塩微粒子を塗料に混合してなることを特徴とする。【特許請求の範囲】
【請求項１】
マグネシウム、亜鉛、ケイ素、アルミニューム、チタンを主体とする酸化物を含有する複合金属ケイ酸塩微粒子を塗料に混合してなることを特徴とする機能性材料。
【請求項２】
複合金属ケイ酸塩微粒子を、塗料に対して重量比で３％〜１０％混合してなることを特徴とする請求項１記載の機能性材料。
【請求項３】
マグネシウム、亜鉛、ケイ素、アルミニューム、チタンを主体とする酸化物を含有する複合金属ケイ酸塩微粒子を接着剤に混合してなることを特徴とする機能性材料。
【請求項４】
複合金属ケイ酸塩微粒子を、接着剤に対して重量比で３％〜１０％混合してなることを特徴とする請求項３記載の機能性材料。
【請求項５】
遠赤外線の波長領域が２μ〜２６μで、かつマイナスイオンの発生量が１ｃｃ当り１０００個〜２０００個であることを特徴とする請求項１、２、３又は４記載の機能性材料。
【発明の詳細な説明】
【０００１】
【発明の属する技術分野】
この発明は、遠赤外線やマイナスイオンを発生し、消臭や抗菌効果を有する機能性材料に関するものである。
【０００２】
【従来の技術】
従来より消臭機能や抗菌機能を有する塗料や接着剤は、種々多様に市場に出回っているが、効果的な作用を有するものはなかなか見当たらないのが現状である。
また、塗料や接着剤に対して１３％以上混合しているものも多く見られ、コスト的にも高くなってしまう。
【０００３】
【発明が解決しようとする課題】
この発明は、上記の種々の問題点に鑑みなされたもので、その目的は、塗料に混合して、特に内壁やトイレ回り、基礎コンクリート等に塗ったり、接着剤に混合して、壁紙や木板を貼り付けることにより、複合金属ケイ酸塩微粒子から発生するマイナスイオン及び遠赤外線により消臭・抗菌・防カビ効果等を有する機能性材料を提供するものである。
【０００４】
【課題を解決するための手段】
上記課題を解決するための手段として、マグネシウム、亜鉛、ケイ素、アルミニューム、チタンを主体とする酸化物を含有する複合金属ケイ酸塩微粒子を塗料に混合してなること。また、複合金属ケイ酸塩微粒子を、塗料に対して重量比で３％〜１０％混合してなること。さらに、マグネシウム、亜鉛、ケイ素、アルミニューム、チタンを主体とする酸化物を含有する複合金属ケイ酸塩微粒子を接着剤に混合してなること。さらにまた、複合金属ケイ酸塩微粒子を、接着剤に対して重量比で３％〜１０％混合してなること。その上、遠赤外線の波長領域が２μ〜２６μで、かつマイナスイオンの発生量が１ｃｃ当り１０００個〜２０００個であることを特徴とする。
【０００５】
【発明の実施の形態】
まず、第１実施例の機能性材料は、マグネシウム、亜鉛、ケイ素、アルミニューム、チタンを主体とする酸化物を含有する複合金属ケイ酸塩微粒子を、塗料に対して重量比で３％〜１０％混合してなるものである。
【０００６】
なお、塗料の材質は特に限定するものでなく、水溶性塗料でも、油性塗料でもよい。
【０００７】
つぎに、第２実施例の機能性材料は、マグネシウム、亜鉛、ケイ素、アルミニューム、チタンを主体とする酸化物を含有する複合金属ケイ酸塩微粒子を、接着剤に対して重量比で３％〜１０％混合してなるものである。
【０００８】
なお、接着剤の材質は特に限定するものではなく、溶剤形接着剤等、必要に応じて選定すればよい。
【０００９】
つづいて、上記塗料における機能性材料の消臭機能のデータについて下記に述べる。
【００１０】
【表１】
2004075968.tif 000002
【００１１】
【表２】
2004075968.tif 000003
【００１２】
上記表１に示すように、アンモニア残存濃度において、初期に６８．９ｐｐｍあったものが、２４時間後において、３６．１ｐｐｍまで下がっている。
また、表２に示すように、酢酸残存濃度において、初期に５２ｐｐｍあったものが、２４時間後において、１９．１ｐｐｍまで下がっている。
つまり半分以下まで濃度低下が見られる。
【００１３】
つぎに、上記接着剤における機能性材料の消臭及び抗菌機能のデータについて下記に述べる。
【００１４】
【表３】
2004075968.tif 000004
【００１５】
【表４】
2004075968.tif 000005
【００１６】
上記表３に示すように、ホルムアルデヒド残存濃度において、初期に１７．１ｐｐｍあったものが、５．０ｐｐｍまで下がっている。
つまり３分の１以下まで濃度低下が見られる。
また、表４に示すように、抗菌試験における特に生菌数結果において、１．８×１０５が３．３×１０２に、１．７×１０５が７．３×１０１に激減している。
【００１７】
なお、上記各表のデータは、塗料や接着剤に対して重量比で３％複合金属ケイ酸塩微粒子を混合してなるものである。
つまり、３％混合でも上記のような優れた結果を有しており、従来例のように１３％以上混合しているものと比較し、非常に高い効果がある。
また、１０％混合した場合、消臭に関しては０ｐｐｍとなり、抗菌に対しても１０以下となる。
【００１８】
さらに、上記各機能性材料は、測定により遠赤外線の波長領域が２μ〜２６μで、かつマイナスイオンの発生量が１ｃｃ当り１０００個〜２０００個（測定条件：室温２６℃、湿度５８％、室内イオン数マイナスイオン４０個／ｃｃ、試料測定方法２５ｃｍ×２０ｃｍ×５０ｃｍチャンバー内、測定器ラデーション・テクノロジー製、測定距離１０ｍｍ）である。
【００１９】
【発明の効果】
上記データから明らかなように、複合金属ケイ酸塩微粒子を塗料や接着剤に混合して使用することにより、アンモニアや酢酸、ホルムアルデヒド等に対する消臭効果や、Ｓｔａｐｈｙｌｏｃｏｃｃｕｓ　ａｕｒｅｕｓやＥｓｃｈｅｒｉｃｉａ　ｃｏｌｉ等に対する抗菌効果が認められるもので、特に複合金属ケイ酸塩微粒子を、重量比３％でも優れた効果を発揮するものである。
(57)【要約】【課題】本発明は、自動車用内装材に求められる耐衝撃強度と耐傷付き性を両立させる。【解決手段】ＰＰ母材に対して耐傷付き性に優れたＨＤＰＥを添加材として用い、ＳＥＢＳまたはＳＥＢＣをＰＰとＨＤＰＥの中間材として加え、ＨＤＰＥをタフナーすなわちラバーとして作用させ、衝撃強度を増す。【選択図】　　　　図１
2004075963.tif 000002
【特許請求の範囲】
【請求項１】
ＰＰ　５６％〜７７％
ＳＥＢＳ又はＳＥＢＣ　３〜８％
ＨＤＰＥ　　５〜１０％
タルク　　１５〜２６％
からなるＰＰのアロイ、ＰＰはポリプロピレンである。
ＳＥＢＳとＳＥＢＣは共に水添スチレンブタジエンのブロックコポリマーであり、ＳＥＢＳはスチレンエチレンブタジエンスチレンブロックコポリマー、ＳＥＢＣはスチレンエチレンブタジエンオレフィン結晶ブロックコポリマーを意味する。ＨＤＰＥは高密度ポリエチレンである。
【発明の詳細な説明】
【０００１】
【発明の属する技術分野】
本発明は自動車内装用材料に係わるものであり、詳しくは自動車のダッシュボードやドアトリム等の機能向上に関するものである。
【０００２】
【従来の技術】
自動車のダッシュボードやドアトリムの素材は剛性確保の為に、ＰＰに１５％から３０％のタルクを添加し、衝撃強度向上のために、ＥＰＭ、ＥＢＭ及びＥＯＭ等のゴムを１０％から２０％添加したものが知られている。
【０００３】
【発明が解決しようとする課題】
従来の技術で述べた素材の原料であるポリプロピレンは硬い反面傷付き易く、また割れ易いという問題点を有していた。
【０００４】
また、割れ対策のためにラバーを添加すると素材が柔らかくなるため、それの防止と更なる剛性確保のためタルクを添加していたが、素材が硬くなる反面、もろさも増加し、耐傷付き性は悪化するという問題点を有していた。
【０００５】
本発明は、従来の技術に有するこのような問題点を鑑みてなされたものであり、その目的とするところは、素材の耐傷付き性とその衝撃強度を共に向上させることである
【０００６】
【課題を解決するための手段】
上記目的を達成させるために、本考案で添加したＨＤＰＥは素材の動摩擦係数を下げることにより、耐傷付き性を改善するとともに、添加したＳＥＢＳまたはＳＥＢＣの作用で微分散化され、同時に素材の衝撃強度を上げる働きをする
【０００７】
【発明実施の形態】
考案の実施の形態について図面を参照して説明する。
図１はアロイのモロフォロジーをベースにしたＰＰ、ＳＥＢＳおよびＨＤＰＥの構造図である。ＳＥＢＣの場合はポリスチレンの一方のドメインがオレフィン結晶のドメインに置き換わるだけで、基本的な働きは同様である。
【０００８】
ＰＰ１マトリックスの海の中にＨＤＰＥドメイン２がＳＥＢＳまたはＳＥＢＣの相溶化作用のため、微分散化され、浮かんでいる状態にある。その際ＳＥＢＳはポリスチレンドメイン３をＨＤＰＥドメイン２の周囲に形成し、そのＥＢチェイン５がＨＤＰＥドメイン２に喰い込む一方、ＰＰチェイン４ともからみ合っている状態にある。
【０００９】
ＳＥＢＳはＰＰ１とＨＤＰＥドメイン２の中間で両者を強く結び付ける作用を行っている。衝撃が加わった場合でも、中間弾性材として作用し伸びて材料に亀裂を入れにくくする。
【００１０】
ＨＤＰＥはそれ自体動摩擦係数が小さく、耐傷付き性に優れた素材であることは一般に知られており、また、シリコンやＨＤＰＥをＰＰに加え、その特性によりＰＰの動摩擦係数を下げ、耐傷付き性を向上させることも一般に知られている。また、傷付き対策としてＨＤＰＥの場合重量比で５％以上ＰＰに加えることが、一般に行われている。
【００１１】
ＨＤＰＥはＳＥＢＳまたはＳＥＢＣで微分散化されてＨＤＰＥドメイン２になっても分子構造そのものは変化しないため、その特性は維持される。したがって、ＨＤＰＥドメイン２もＰＰ１の動摩擦係数を下げ、耐傷付き性には同様の効果を有する。
【００１２】
【発明の効果】
本考案は、上述のとおり構成され機能しているので、次に記載する効果を奏する。
【００１３】
従来と同じ剛性を持つ内装用素材であるが、耐衝撃強度を有し、同時に耐傷付き性も有する。
【００１４】
従来材と同様に射出成形により自動車のダッシュボードやドアトリムを成形できる。
【図面の簡単な説明】
【図１】ＰＰ、ＨＤＰＥ、ＳＥＢＳアロイの構造図である。
【符号の説明】
１　ＰＰ
２　ＨＤＰＥドメイン
３　ポリスチレンドメイン
４　ＰＰチェイン
５　ＥＢチェイン
【図１】
2004075963.tif 000003
(57)【要約】【課題】従来患者が病気や身体の不調を感ずる時には、専門家である医者の診断を受けて対処療法を得るのが通常であった。一方で、健康食品が多数販売されている昨今において、さまざまな健康食品で体質改善をする対象者が増えている。しかしながら現実において、従来の投薬治療や健康食品による体質改善が治療として成果が上がらないことがあった。【解決手段】本発明は、骨粗鬆症、前立腺肥大の治療を重水素減少水（スーパーライトウォーター）を飲むことによっておこなう方法である。【選択図】なし【特許請求の範囲】
【請求項１】
水と、０．１〜１１０ｐｐｍの含有量の重水素を有し、又は、活性剤として、０．１〜１１０ｐｐｍの含有量の重水素を含み、担体又は助剤と共に、製薬学的な製品或いは医薬溶液の形での、ヒトに適する水性溶液である、重水素減少水（スーパーライトウォーター）による骨粗鬆症、前立腺肥大の治療方法。
【発明の詳細な説明】
【０００１】
【発明の属する技術分野】
本発明は、骨粗鬆症、前立腺肥大の治療を重水素減少水（スーパーライトウォーター）を飲むことによっておこなうものである。
【０００２】
【従来の技術】
一般に患者が病気や身体の不調を感ずる時には、専門家である医者の診断を受けて対処療法を得るのが通常であるが、この場合、当人が病院や診療所に直接行って治療を受ける。
【０００３】
一方で、健康食品が多数販売されている昨今において、さまざまな健康食品を入手して体質改善をする対象者が増えている。
【０００４】
【発明が解決しようとする課題】
しかしながら現実において、従来の投薬治療や健康食品による体質改善が治療として成果が上がらないことがあった。
【０００５】
【課題を解決するための手段】
本発明者等は係る課題を解決するために鋭意研究したところ、骨粗鬆症、前立腺肥大の治療のための重水素減少水（スーパーライトウォーター）の飲用方法を開発して、本発明を提供するものである。
【０００６】
すなわち本発明は骨粗鬆症、前立腺肥大の治療に最適な重水素減少水（スーパーライトウォーター）の飲用方法を特徴とする重水素減少水（スーパーライトウォーター）の飲用方法である。
【０００７】
【発明の実施の形態】
本発明は重水素減少水（スーパーライトウォーター）を毎日２リットル飲むことにより２週間ぐらいで効果が表れる。
【０００８】
重水素減少水（スーパーライトウォーター）を飲んでいる間は、緑茶、味噌汁など通常飲食する物に関しても重水素減少水（スーパーライトウォーター）を使用する。
【０００９】
以下実施例をもって本発明を詳細に説明するが、本発明の範囲はこれに限定されるものではない。
【００１０】
【実施例１】
本発明の発明者は６０歳であり、膝の関節が外れやすく尿のでも悪かった。そのため重水素減少水（スーパーライトウォーター）を毎日２リットル飲みつづけた。
【００１１】
２週間後ぐらいから膝の状態が良くなり、次いで尿の出も良くなり１５秒以内ですべて出るようになった。
(57)【要約】　　　（修正有）【課題】低毒性の酸化用触媒を用いて、グリコール化合物を効率よく開裂させる方法の提供。【解決手段】式（Ｉ）のグリコールを、有機溶媒中で酸素または空気雰囲気下にバナジウム化合物触媒と反応させ、式（ＩＩ）および式（ＩＩＩ）のグリコール化合物を製造する。2004075658.tif 0000092004075658.tif 000010（Ｒ１〜Ｒ４は、同一でも異なっていてもよいアルキル基、アルケニル基、アルキニル基、アリール基または水素原子。）【選択図】なし【特許請求の範囲】
【請求項１】
下記の一般式（Ｉ）；
【化１】
2004075658.tif 000007
（式中、Ｒ１、Ｒ２、Ｒ３、およびＲ４はアルキル基、アルケニル基、アルキニル基、アリール基、または水素原子を表す。Ｒ１、Ｒ２、Ｒ３、およびＲ４は同一もしくは相異なっていてもよく、また内部結合していてもよい。）で表されるグリコールを、有機溶媒中で酸素または空気雰囲気下にバナジウム化合物触媒と反応させることを特徴とし、下記の一般式（ＩＩ）および（ＩＩＩ）；
【化２】
2004075658.tif 000008
（式中、Ｒ１、Ｒ２、Ｒ３、およびＲ４は前記と同じ）
が生成するグリコール開裂法。
【発明の詳細な説明】
【０００１】
【発明の属する技術分野】
本発明は、低毒性の酸化用触媒を用いて、グリコール化合物を効率良く開裂させる方法に関する。
【０００２】
【従来の技術】グリコール開裂反応は有機合成化学上極めて重要な反応であり、有機化合物を合成する際に頻繁に利用されている反応である。従来法では過ヨウ素酸塩、次亜塩素酸塩、超原子価ヨウ素化合物、四酢酸鉛等を用いて行われていた。
【０００３】
【発明が解決しようとする課題】上記の従来法ではいずれの場合も反応剤を化学量論量以上用いる必要があり、試薬の毒性や廃棄物生成等に問題点があった。本発明の目的はこれらの欠点を克服し、毒性が少ない酸化剤を触媒量用いて、酸素を共酸化剤として使用するグリコール開裂法を提供するところにある。
【０００４】
【課題を解決するための手段】本発明は、下記の一般式（１）；
【０００５】
【化３】
2004075658.tif 000002
（式中、Ｒ１、Ｒ２、Ｒ３、およびＲ４はアルキル基、アルケニル基、アルキニル基、アリール基、または水素原子を表す。Ｒ１、Ｒ２、Ｒ３、およびＲ４は同一もしくは相異なっていてもよく、また内部結合していてもよい。）で表されるグリコールを、酸素または空気雰囲気下にバナジウム化合物触媒と反応させて開裂させ、下記の一般式（ＩＩ）および（ＩＩＩ）；
【０００６】
【化４】
2004075658.tif 000003
（式中、Ｒ１、Ｒ２、Ｒ３、およびＲ４は前記と同じ）
を得ることからなっているグリコール開裂法である。
【０００７】
【発明の実施の形態】
以下に本発明方法について説明する。
本発明において、上記の一般式（Ｉ）で表されるグリコールの開裂反応は、下記の反応式で表される。
【０００８】
【化５】
2004075658.tif 000004
（式中、Ｒ１、Ｒ２、Ｒ３、およびＲ４はアルキル基、アルケニル基、アルキニル基、アリール基、または水素原子を表す。Ｒ１、Ｒ２、Ｒ３、およびＲ４は同一もしくは相異なっていてもよく、また内部結合していてもよい。）で示される、グリコール開裂反応は溶媒中で行われる。用いられる溶媒としては、酢酸エチル、アセトニトリル、アセトン、ニトロメタン等の非プロトン性極性溶媒、エタノール、メタノール、２，２，２−トリフロロエタノール等のアルコール溶媒、エーテル、ジオキサン、テトラヒドロフラン等のエーテル系溶媒、ジクロロメタン、クロロホルム等のハロゲン化アルキル溶媒、ベンセン、トルエン、キシレン等の芳香族溶媒、ヘキサン、ペンタン等のアルキル溶媒が用いられるが、好適には酢酸エチルを用いる。バナジウム触媒としては、トリクロロオキシバナジウム、ジクロロエトキシオキシバナジウム、バナジルアセチルアセトネートなどが用いられるが、好適にはトリクロロオキシバナジウムが用いられる。用いるバナジウム化合物の使用量には特に限定はないが、通常原料に対して０．０１５当量（１．５ｍｍｏｌ％）で充分である。反応は酸素または空気雰囲気下。−５０℃から１２０℃で円滑に進行する。
【０００９】
【実施例】
以下実施例により本発明を詳細に説明するが、本発明は以下の実施例に何ら限定されない。
【実施例１】
酸素雰囲気下、５，６−ｄｉｐｈｅｎｙｌｄｅｃａｎ−５，６−ｄｉｏｌ（９９２．４ｍｇ，３．０４ｍｍｏｌ）の酢酸エチル（１５ｍｌ）溶液にオキシ三塩化バナジウム（８ｍｇ，０．０４６ｍｍｏｌ）を加え、３０分間室温で攪拌した。反応終了後、飽和炭酸水素ナトリウム水溶液を３ｍｌ加えた。さらに水を５ｍｌ加え、ジクロロメタン（２０ｍｌ×３）で抽出した。有機層を無水硫酸マグネシウムで乾燥した後、減圧下溶媒を留去した。得られた粗生成物（８１５．０ｍｇ）をシリカゲルクロマトグラフィー（ヘキサン：酢酸エチル＝５０：１，シリカゲル４０．８ｇ）により精製し、ブチルフェニルケトン（黄色の液体，７８７．３ｍｇ，８０％）を得た。この化合物の各種スペクトルデータは、標品のものと一致した。
この実施例１の反応式は次のとおりである。
【００１０】
【化６】
2004075658.tif 000005
【００１１】
【実施例２】
酸素雰囲気下、ベンゾピナコール（３００．０ｍｇ，０，８２ｍｍｏｌ）の酢酸エチル（２５ｍｌ）溶液にオキシ三塩化バナジウム（８ｍｇ，０．０４６ｍｍｏｌ）を加え、３０分間室温で攪拌した。反応終了後、飽和炭酸水素ナトリウム水溶液を３ｍｌ加えた。さらに水を５ｍｌ加え、ジクロロメタン（２０ｍｌ×３）で抽出した。有機層を無水硫酸マグネシウムで乾燥した後、減圧下溶媒を留去した。得られた粗生成物（３９７．３ｍｇ）をシリカゲルクロマトグラフィー（ヘキサン：酢酸エチル＝５０：１，シリカゲル１９．９ｇ）により精製し、ベンゾフェノン（白色の粒状物質，２９３．８ｍｇ，９９％）を得た。この化合物の各種スペクトルデータは、標品のものと一致した。
この実施例２の反応式は次のとおりである。
【００１２】
【化７】
2004075658.tif 000006
【００１３】
【発明の効果】
本発明による場合は、従来法で用いられているものに比較して、毒性の低いバナジウム化合物を触媒量用いるだけで、グリコール開裂を行うことができる。
さらに本発明による場合は、有毒な廃棄物が発生しない。
(57)【要約】　　　（修正有）【課題】今までコーヒー・粕・滓・渣など使用し有機肥料が作られて使用されているが、あまり活用されていなく、農薬を使用しアブラ虫を防除している。野菜・庭木につくアブラ虫の退避方法を提供する。【解決手段】チャフーを堆肥として使用するだけで、植物の力でアブラ虫が忌避出来るので農薬の使用を少なく出来る。また、植物の根元に置いても（木、草花）同じ効果があり、追肥としても使用できる。別にチャフーを水につけ、出た液をスプレーでかけても一時的にアブラ虫を忌避することができる。チャフーは圧を加え固めてある為に、土の中で水が加わると倍になり土壌に隙間が出来通気性・透水性などが良くなり、根の発達に良い。チャフーが土の中で植物寄生線虫の防除効果もある。植物の根と葉の働きを利用し、チャフーの中の成分によりアブラ虫を忌避させるようにした。【選択図】　図１
2004075656.tif 000002
【特許請求の範囲】
【請求項１】
チャフーを栽培地に堆肥として使用することで、その畑で栽培する野菜につくアブラ虫を忌避させることが出来る。
【請求項２】
チャフーは圧を加え固めてある為に、土の中で水が加わると倍になり土壌に隙間が出来通気性・透水性などが良くなり、根の発達に良い。
【請求項３】
チャフーが土の中で植物寄生線虫の防除効果もある。
【発明の詳細な説明】
【０００１】
【発明の属する技術分野】
チャフー（コーヒーを倍煎する工程でコーヒー豆の表面の薄い皮がはがれた物を集め、水を加え圧をかけ固めた物）を栽培地に堆肥として使用することで、その畑で栽培する野菜につくアブラ虫を忌避させることができる。
【０００２】
【従来の技術】
産業廃棄物として処分。一部農家で堆肥として使用。
【０００３】
【発明が解決しようとする課題】
産業廃棄物ではなく何かに使用したかった為。
【０００４】
【課題を解決するための手段】
コーヒーは虫除けに効くと聞いたので、自分の作っている家庭菜園、自分の庭木でためす。
【０００５】
【発明の実施と形態】
チャフーはタバコ大で長さ３〜４ｃｍ、重さ１升で約１．５ｋｇと軽く、老人・子供も使用でき、誤って食べても害はなく安全である。
【０００６】
【発明の効果】
実際に６ヵ月間、自分の家庭菜園・庭木で実施してアブラ虫は忌避出来た。
【図面の簡単な説明】
【図１】植物の根と葉の働きを示す。
【図１】
2004075656.tif 000003
(57)【要約】【課題】極めて多数のゴキブリ駆虫薬が市販されているが、ゴキブリが特に嗜好して集まる調理場等においては、期待に添う効果を上げ得る製品が殆どない。【解決手段】パン粉等を主成分とし、硼酸等の毒物を混練した毒餌を粒度分布が直径０．２ｍｍから１ｍｍの範囲で重量比のピークがあるような粒状に成形した場合は、ゴキブリの幼虫が摂取し易いため選好して摂取して全滅するため、その地区からゴキブリが効果的に排除される。【選択図】　　図１
2004075655.tif 000002
【特許請求の範囲】
【請求項１】
粒度分布の重量比ピークが０．２〜１ｍｍの範囲にある硼酸等の毒性物質を含むパン粉等のゴキブリが選好する食品を粒状に加工した殺虫剤。
【発明の詳細な説明】
【０００１】
【発明の属する技術分野】
本発明は、毒物による殺虫剤に関し、その主たる対象はゴキブリである。
【０００２】
【従来の技術】
ゴキブリは極めてポピュラーな害虫であって、我国においては一般家庭は勿論のこと、食品を取り扱う職場、なかでも食堂には通常かなり大量に群生しているのが実態である。これらの場所では当然、衛生上の観点及び女性従業員がゴキブリを著しく嫌悪することから、日頃より積極的に考えられる限りのありとあらゆる方法を以ってその駆除に努力している。
【０００３】
その駆除方法の主なものを挙げれば、団子、タブレット、ペースト等ゴキブリが選好する食品に毒物を入れた経口毒物方式、強力粘着性物質による蝿取り紙方式の捕獲方式、毒性の煙・霧による燻蒸殺虫方式等である。
【０００４】
【発明が解決しようとする課題】
しかしながら、食堂等の駆除作業を経験した人々が最もよく理解しているように、これらの駆除方法は通常期待した程には効果がないし、一時的に効果があったとしても決して長期間に亙って有効ではない。
【０００５】
本発明の発明者も食堂の調理場のゴキブリ駆除のため、市販の駆除剤メーカーが提供するあらゆる駆除方法を試みた。何れも満足できる効果が得られず、遂には洗剤を溶解した水をゴキブリに直接散布することまで試みた。この方法は即効的な効果があったが、これは人間が常時介入しなければ使えない駆除方法であり、手間が掛かり過ぎるため長期に亙って実行することが困難で実用的ではない。
【０００６】
【課題を解決するための手段】
本発明の発明者は各種の実験の結果、経口毒物方式において、ある条件の毒餌がゴキブリの成虫及び幼虫に対して極めて選択的、効果的に摂取され、従って毒殺効果が大きいことを見出した。
【０００７】
【発明の実施の形態】
図１はゴキブリが本発明になる毒餌を摂取している状況を示すものである。
毒餌を直径が小さな粒状に形成する場合に極めてコキブリの喰い付きが良い。多くの実験の結果、最良の結果を得たのは粒度分布の重量比ピークが最小０．２ｍｍからから最大１ｍｍの範囲にある場合であると判明した。この場合は観察によれば特に体長が４〜８ｍｍの幼虫が多く死んでおり、そのため成虫に到るゴキブリが少なくなってその地域からゴキブリが絶滅する。
【０００８】
従来の市販の固形毒餌はタブレット状であるか、粒状であっても直径が１ｍｍより大きかった。この場合、ゴキブリの幼虫は口の寸法が小さいため、彼らにとっては大きすぎるこの種の毒餌を摂取することが容易でなかったのであろう。図１は体長５ｍｍのゴキブリの幼虫が直径０．３ｍｍの毒餌を摂取する直前の状況を描いたものである。この図から理解できるように、毒餌の寸法を前述の条件にすることによって、ゴキブリの幼虫が容易に摂取できるようになった。
【０００９】
毒餌の寸法が本発明の最大の要素であるが、毒餌が当然備えるべき条件としてゴキブリの味覚に選好されるものでなくてはならない。具体的には実験にはパン粉に毒物である硼酸３％を練り込んでドウを作り、これを焼き上げてできた固形物を粉砕して前述粒度分布である粒状の毒餌を製造した。これがゴキブリの味覚に最も選好されるものであるか否かは判らないが、絶大な効果があったことは結果が示している。従ってこの発明では毒餌の主成分及び毒物成分については選択範囲が極めて広い。
【００１０】
この毒餌はゴキブリの通路や好む狭い空間に少量散布して用いる。掃除の場合は真空掃除機で容易に完全に除去することができる。
【００１１】
この毒餌に対する糖分の添加は潮解性と蟻を誘引する問題があり、避けることが望ましい。
【００１２】
【発明の効果】
本発明によれば、毒餌の寸法がゴキブリの幼虫および小型成虫の摂取器官に好適であるため、従来型の毒餌に比較して格段に摂取効率が高く、毒餌が存在する限りゴキブリが絶滅して再度現れることがない。
【００１３】
また、本発明によれば、比較的製造が容易で、散布が容易で、放置した場合も品質や効果の変化が少なく、除去も容易な作業性がよいゴキブリ用殺虫剤を得ることができる。
【図面の簡単な説明】
【図１】本発明になるゴキブリ用殺虫剤をゴキブリの幼虫が摂取する状況を示す。
【符号の説明】
１　毒餌
２　ゴキブリ
【図１】
2004075655.tif 000003
(57)【要約】【課題】アトピー性皮膚炎の痒み、炎症等の諸症状を緩和することができ、しかも副作用を生じさせないアトピー性皮膚炎のための皮膚外用剤を提供する。【解決手段】ステビア抽出液を酵母（Ｓａｃｃｈａｒｏｍｙｃｅｓ類）によって発酵させた、ステビア発酵液剤を含むアトピー性皮膚炎のための皮膚外用治療剤及びこれを含む化粧品。【選択図】【特許請求の範囲】
【請求項１】
ステビア抽出液を酵母（Ｓａｃｃｈａｒｏｍｙｃｅｓ類）によって発酵させた、ステビア発酵液剤を含むアトピー性皮膚炎のための皮膚外用治療剤。
【請求項２】
基剤、保湿成分及び保存剤を含む化粧品であって、上記請求項１に記載の皮膚外用治療剤を含む化粧品。
【発明の詳細な説明】
【０００１】
【発明の属する技術分野】
本発明は、アトピー性皮膚炎用外用剤に関するものであって、より詳しくは、ステビア抽出液を酵母（Ｓａｃｃｈａｒｏｍｙｃｅｓ類）によって発酵させた、ステビア発酵液剤を有効成分とする、アトピー性皮膚炎のための治療作用を有する皮膚外用剤並びにこれを含む化粧品に関する。
【０００２】
【従来の技術】
アトピー性皮膚炎は、多くの乳幼児やアトピー素因を有する者に発症し、強い痒みと慢性の経過をとる湿疹で、乾燥した蘚苔状の皮膚が特徴である。近年、生活環境の変化、食生活の欧米化、住宅構造の密閉化、ストレスの増大等による原因から、アトピー性皮膚炎が先進工業国において高く発症し、現在も増加傾向にある。また、アトピー性皮膚炎の多くは乳幼児から発症して成長とともに軽快傾向を示すが、近頃では成人型や難治性のアトピー性皮膚炎も急増している。
【０００３】
アレルギー反応の作用機序は１型〜４型まで４つの型に大別分類される。アトピー性皮膚炎は、そのうち１型と４型が関与する皮膚炎と考えられる。
【０００４】
一般にアトピー性皮膚炎の治療剤としては、例えば、外用剤としてステロイド剤が繁用され、その治療効果も認められてきた。また、非ステロイド性抗炎症剤も用いられてきている。しかしながら、ステロイド剤には、皮膚の被薄化、縮緬シワの形成、紅斑の発生等の副作用が問題にされている。非ステロイド性抗炎症剤にあっては、止痒効果はあるものの、持続性や倦怠感や眠気が生じる等の症状が現われ、日常生活に支障をきたすことがあるために慢性のそう痒に対しての長期連用は困難な場合が多い。
【０００５】
近年では、内服、外用に関係なく、作用は緩和ではあるが副作用軽減を主目的に天然素材のアトピー性皮膚炎改善剤が研究されてきており、例えば、特開平１１−３０２１５５号公報には、セラミドと、リボソームを形成しうる成分を含有するゲル基剤とを配合したアトピー性皮膚炎に有効な外用剤が開示されている。しかしながら、これらのいずれも、アトピー性皮膚炎用外用剤としての効果は十分なものとはいえない。
【０００６】
【本発明が解決しようとする課題】
本発明は、前述したような課題を解決せんとするもので、アトピー性皮膚炎の痒み、炎症等の諸症状を緩和することができ、しかも副作用を生じさせないアトピー性皮膚炎のための皮膚外用剤及びこれを含む化粧品を提供することを課題とするものである。
【０００７】
【課題を解決するための手段】
そこで、本発明者は、ステビア（Ｓｔｅｖｉａ　ｒｅｂａｕｄｉａｎａ　Ｂｅｒｔｏｎｉ）の水抽出物を酵母（Ｓａｃｃｈａｒｏｍｙｃｅｓ類）によって発酵させた液剤（ステビア発酵エキス）を皮膚外用治療剤として、上記目的を効果的に達成できることを見出し、さらに、この皮膚外用治療剤を化粧用軟膏、化粧用クリームに配合することによっても、上記目的を効果的に達成できることを見出し、本発明に到達したものである。
【０００８】
【実施例】
以下、本発明の実施例について説明する。
【０００９】
一実施例として皮膚外用剤の組成は、次の通りである。
【００１０】
【表１】
2004075602.tif 000002
【００１１】
上記配合成分中、ステビア発酵エキスはＳｔｅｖｉａ　ｒｅｂａｕｄｉａｎａ　Ｂｅｒｔｏｎｉ　を用いて下記のような手順で抽出、発酵、調整をした。
【００１２】
【表２】
2004075602.tif 000003
【００１３】
また、上記皮膚外用剤中の基剤において、２−エチルへキサン酸セチル、セテアリルアルコール、セタノールは、保湿を目的として配合されたものである。
【００１４】
一方、アラントインは消炎のために配合されるものであり、グリチルレチン酸ステアリルは消炎、抗アレルギーのために配合されるものである。
【００１５】
さらに、メチルパラベンやプロピルパラベンは防腐のために配合されるものである。
【００１６】
上記実施例の皮膚外用剤についてモニター患者１５名に対して臨床試験を行った。
【００１７】
＜試験＞１型アトピー疾患を有する人を対象とした、ステビアモイスチャークリームの有用性の検討
試験方法
１型アトピー疾患の認められる１０歳から７４歳の男女１５名を対象に試験を実施した。使用開始前、被験者は、あらかじめ医師の診断を受け、使用部位を決定した。毎日、朝と夜、洗顔のあとに使用するものとした。
＜観察項目および観察日＞自覚症状としてのそう痒感および皮膚所見（紅斑、蘚苔化、乾燥・落屑）について観察し、その個々の所見を　０：なし、　１：軽微、　２：軽度、　３：中等度、　４：高度の５段階に分けて評価した。
経過観察は、治療前、治療１週間後、２週間後の各回に行った。
有用性は全般改善度、副反応、併用薬剤を総合的に考慮し下記の５段階で評価した。
１：きわめて有用、　２：有用、　３：やや有用、　４：無用、　５：有害
＜結果＞結果を表１，２，３に示した。
【００１８】
【表３】
2004075602.tif 000004
【００１９】
【表４】
2004075602.tif 000005
【００２０】
【表５】
2004075602.tif 000006
【００２１】
表１乃至表３から明らかなように、１５名すべてのモニター患者に対して改善の程度は良好であり、しかも副作用の出現は、全く見られなかった。
【００２２】
【発明の効果】
本発明によれば、ステビア（Ｓｔｅｖｉａ　ｒｅｂａｕｄｉａｎａ　Ｂｅｒｔｏｎｉ）の水抽出物を酵母（Ｓａｃｃｈａｒｏｍｙｃｅｓ類）によって発酵させた液剤（ステビア発酵エキス）を含有した、アトピー性皮膚炎用外用治療剤が提供され、この外用治療剤は、アトピー性皮膚炎の治療効果が著しく優れている。同様に、この外用治療剤を含む化粧品即ち化粧品軟膏、化粧用クリームを提供でき、化粧品によってもアトピー性皮膚炎の治療が効果的に行えるものである。
(57)【要約】【課題】食品として摂取することができる新規な便秘改善剤を提供すること。【解決手段】モリンダ・シトリフォリア葉の抽出物を含有することを特徴とする便秘改善剤。【選択図】　　なし【特許請求の範囲】
【請求項１】
モリンダ・シトリフォリア葉の抽出物を含有することを特徴とする便秘改善剤。
【請求項２】
モリンダ・シトリフォリア葉の抽出物および食物繊維を含有することを特徴とする便秘改善剤。
【請求項３】
抽出物がエタノールと水の混合物を用いて得られたものである、請求項１または２に記載の便秘改善剤。
【発明の詳細な説明】
【０００１】
【発明の属する技術分野】
本発明は、モリンダ・シトリフォリア葉の抽出物を含有する便秘改善剤に関する。
【０００２】
【従来の技術】
排便を促す効果を示す機能性食品としては、整腸作用を有する難消化性食物繊維やビフィズス因子であるオリゴ糖を含む食品などが知られている。しかし、これらの食品によっては排便障害が改善されないケースも多く存在する。
【０００３】
【発明が解決しようとする課題】
本発明の目的は、食品として摂取することができる新規な便秘改善剤を提供することである。
【０００４】
【課題を解決するための手段】
本発明は、モリンダ・シトリフォリア葉の抽出物を含有することを特徴とする便秘改善剤を提供する。本発明の便秘改善剤は、モリンダ・シトリフォリア葉の抽出物に加えて、さらに食物繊維を含有してもよい。好ましくは食物繊維は、モリンダ・シトリフォリアの果肉から得られる食物繊維である。
【０００５】
また好ましくは、本発明の便秘改善剤は、モリンダ・シトリフォリア葉をエタノールと水の混合物により抽出することにより製造する。
【０００６】
【発明の実施の形態】
モリンダ・シトリフォリア（和名ヤエヤマアオキ）は、世界各地の熱帯の海岸領域に自生する低木であり、常緑の，対生の（または擬似互生の），暗色の，光沢のある，波状の，葉脈の突起した葉を有する。この葉は、両末端がとがったやや楕円形であり，長さ１０−３０ｃｍ，幅５−１５ｃｍであり、硬く、ワックス成分に覆われている。この葉には、種々の薬用作用を示すアントラキノン類が豊富に含まれていることが見いだされている。
【０００７】
本発明の便秘改善剤は、モリンダ・シトリフォリア葉から便秘の改善に有効な成分を抽出することにより製造することができる。材料として用いるモリンダ・シトリフォリア葉は、生でもよく、凍結させたものでもよく、乾燥させたものでもよい。抽出は、水、有機溶媒、またはこれらの混合物を用いて行うことができる。有機溶媒としては、メタノール、エタノール、ヘキサン、酢酸エチル、アセトンなどの当該技術分野において知られる各種の有機溶媒およびそれらの混合物を用いることができる。有機溶媒は、好ましくは親水性有機溶媒であり、最も好ましくはエタノールである。さらに、これらの有機溶媒と水との混合物を用いてもよい。最も好ましくは、水とエタノールの混合物を用いる。
【０００８】
抽出は、約０℃から約１５０℃の範囲の温度で、大気圧下または加圧下で行うことができる。好ましくは約４０℃から約８０℃の範囲の温度で、大気圧下で行う。得られた抽出液は、所望ならば濾過により不溶性成分を除去した後に、有機溶媒を除去して、本発明の抽出物を得る。さらに、慣用の噴霧乾燥または凍結乾燥などにより乾燥してもよい。
【０００９】
このようにして得られた抽出物はそのまま経口摂取することができる。あるいは、顆粒化してカプセル中に封入するか、適当な賦形剤とともに成形して錠剤とするか、適当な媒体を用いて溶液または懸濁液とした後に、経口摂取してもよい。あるいは、本発明により得られた抽出物は、他の食品または食用材料に添加して摂取してもよい。好ましい態様においては、本発明の便秘改善剤は、モリンダ・シトリフォリア葉の抽出物に加えてさらに食物繊維を含有する。食物繊維の例としては、大豆、穀物、果実および海藻等に由来する食物繊維が挙げられる。好ましくはモリンダ・シトリフォリアの果肉から得られる食物繊維である。
【００１０】
本発明の便秘治療剤は、優れた排便促進効果を示すとともに、緩下剤の服用時に見られるような急激な便意、腹痛、下痢等を引き起こさないという利点を有する。
【００１１】
【実施例】
以下、実施例により本発明をさらに詳細に説明する。
生冷凍モリンダ・シトリフォリア葉（モリンダインターナショナル社製）に１０倍量の５０％エタノールを加え、６０℃で１時間加熱した後、室温で２４時間放置した。抽出液を遠心分離と珪藻土濾過により清澄化した後、減圧下にてエタノールを完全に除去した。次に凍結乾燥により乾燥、粉末化した。
【００１２】
抽出物の成分は以下のとおりであった。
【表１】
2004075601.tif 000002
総ポリフェノールはフォリン・チオカルト法で測定した。
【００１３】
この粉末物は非常に吸湿しやすいため、粉末物とセルラーゼ処理大豆ファイバーとを１：１で混合し、２．５ｇずつラミネートコーティングアルミ袋に分包して、被検試料とした。
【００１４】
被検者は排便回数が２回／週以下の２０−４０歳代の女性６名および３０−４０歳代の男性３名であり、通常は市販の緩下剤（センナ系）にて排便を誘導している。被検試料を摂取する１週間前に市販緩下剤の使用を中止させ、その間の排便が１回以下であることを確認した。被検者には、就寝前に被検試料１包を１５０ｍｌ程度の熱水に溶解して摂取させ、排便回数を毎日記録させた。
【００１５】
【表２】
2004075601.tif 000003
Ｆ：女性　　Ｍ：男性
糞便形状のスコアは、腸内細菌学会の規定に準じた。
１．非常に硬い／２．硬い／３．普通（バナナ状）／４．柔らかい（クリーム状）／５．泥状／６．水状である。
【００１６】
被検試料を摂取した被験者は、全例とも、排便回数が１−２回／日になり、非常にスムースであった。女性の場合、月経時にホルモンバランスの変化により便秘になりやすいが、本検討ではそのような例は全く認められなかった。また、市販緩下剤で見られる急激な便意と下痢状の便は認められなかった。